(57)【要約】【課題】吸入逆止弁（16）における圧縮バネ（31）の固定スクロール（21）及び可動スクロール（22）への噛み込みを防止する。【解決手段】固定スクロール（21）には、圧縮室（24）に流体を吸入するための吸入通路（29）が開口して形成されている。固定スクロール（21）における吸入通路（29）の開口端には、管部材（19）が嵌合して接続されている。吸入通路（29）には、管部材（19）を開閉する吸入逆止弁（16）が設けられ、当該吸入逆止弁（16）の圧縮バネ（31）の他端は、固定手段（33）によって固定スクロール（21）に固定されている。【選択図】図２
2009281345.tif 000002
【特許請求の範囲】
【請求項１】
可動スクロールと、
上記可動スクロールとの間で流体を圧縮する圧縮室を形成すると共に、上記圧縮室に上記流体を吸入するための吸入通路が開口して形成された固定スクロールと、
上記固定スクロールにおける上記吸入通路の開口端に嵌合して接続された管部材と、
上記吸入通路に設けられ、上記管部材を開閉する吸入逆止弁とを備えたスクロール圧縮機であって、
上記吸入逆止弁は、圧縮バネと、該圧縮バネの一端に載置された弁体とを有し、
上記圧縮バネの他端は、固定手段によって上記固定スクロールに固定されている
ことを特徴とするスクロール圧縮機。
【請求項２】
請求項１に記載されたスクロール圧縮機において、
上記固定手段は、上記固定スクロールに固定されると共に上記圧縮バネの他端を支持するバネ座である
ことを特徴とするスクロール圧縮機。
【請求項３】
請求項２に記載されたスクロール圧縮機において、
上記バネ座は、上記吸入通路において上記固定スクロールに圧入されている
ことを特徴とするスクロール圧縮機。
【請求項４】
請求項２に記載されたスクロール圧縮機において、
上記バネ座は、上記吸入通路において上記固定スクロールにネジ止めされている
ことを特徴とするスクロール圧縮機。
【請求項５】
請求項１に記載されたスクロール圧縮機において、
上記固定手段は、上記固定スクロールに埋め込まれて、上記圧縮バネの他端が溶接された溶接ピンである
ことを特徴とするスクロール圧縮機。
【請求項６】
請求項１に記載されたスクロール圧縮機において、
上記固定手段は、上記圧縮バネの他端を上記固定スクロールに締結固定するボルトである
ことを特徴とするスクロール圧縮機。
【請求項７】
請求項１に記載されたスクロール圧縮機において、
上記固定手段は、上記圧縮バネの他端を上記固定スクロールに接着固定する接着部材である
ことを特徴とするスクロール圧縮機。
【請求項８】
請求項１に記載されたスクロール圧縮機において、
上記固定手段は、上記圧縮バネの他端を上記固定スクロールに溶接固定する溶接部である
ことを特徴とするスクロール圧縮機。
【請求項９】
可動スクロールと、
上記可動スクロールとの間で流体を圧縮する圧縮室を形成すると共に、上記圧縮室に上記流体を吸入するための吸入通路が開口して形成された固定スクロールと、
上記固定スクロールにおける上記吸入通路の開口端に嵌合して接続された管部材と、
上記吸入通路に設けられ、上記管部材を開閉する吸入逆止弁とを備えたスクロール圧縮機であって、
上記吸入逆止弁は、圧縮バネと、該圧縮バネの一端に載置された弁体とを有し、
上記圧縮バネの他端を上記固定スクロールに係止する係止手段を備えている
ことを特徴とするスクロール圧縮機。
【請求項１０】
請求項９に記載されたスクロール圧縮機において、
上記係止手段は、上記圧縮バネとは反対側に突出するように上記バネ座に形成されたピンと、上記ピンが挿入するように上記固定スクロールに形成されたピン穴とにより構成されている
ことを特徴とするスクロール圧縮機。
【発明の詳細な説明】
【技術分野】
【０００１】
本発明は、吸い込み逆止弁を備えたスクロール圧縮機に関するものである。
【背景技術】
【０００２】
従来より、圧縮室の流体が吸入管側へ逆流をすることを防止するための吸入逆止弁を備えたスクロール圧縮機が知られている（例えば、特許文献１参照）。この種のスクロール圧縮機は、ケーシングと、ケーシング内に配置された駆動モータと、ケーシング内において該駆動モータに連結された圧縮機構とを備えている。圧縮機構は、それぞれ渦巻き状のラップを備えた固定スクロールと可動スクロールとを有している。固定スクロールと可動スクロールとは、それぞれのラップが互いに噛み合うように配置され、互いのラップ間に圧縮室が形成されている。
【０００３】
上記圧縮機構には、圧縮室に流体を吸入するための吸入通路と、圧縮室で圧縮された流体を吐出するための吐出通路とが形成されている。そして、上記吸入逆止弁は、吸入通路に設けられることにより、流体が圧縮機構の内部から吸入通路を介して圧縮機構の外部へ逆流することを防止している。
【０００４】
図１７は、従来の吸入通路の近傍を拡大して示す断面図である。図１７に示すように、吸入通路（101）は、固定スクロール（102）の厚み方向（同図で上下方向）に延びるように、該固定スクロール（102）に開口して形成されている。吸入通路（101）の側方には吸入孔（103）が形成され、吸入通路（101）が、吸入孔（103）を介して圧縮室（104）に連通するようになっている。
【０００５】
上記固定スクロール（102）には、吸入管（105）が吸入通路（101）に連通するように接続されている。そして、吸入通路（101）には、吸入逆止弁（106）が配設されている。吸入逆止弁（106）は、吸入通路（101）の一端側で吸入管（105）の端部を開閉する弁体（107）と、該弁体（107）と吸入通路（101）の他端側壁面との間に介挿されたバネ（108）とにより構成されている。当該バネ（108）の両端は、弁体（107）及び固定スクロール（102）の何れの部材にも接続固定されていない。
【０００６】
そうして、流体が吸入する時には、吸入管（105）から流入する流体によって弁体（107）がバネ（108）の付勢力に抗して弁体（107）が移動し、開放された吸入管（105）から吸入通路（101）を通じて圧縮室（104）へ流体が吸入される。一方、流体が吸入されない時には、バネ（108）によって付勢された弁体（107）により吸入管（105）の端部が閉塞されることにより、圧縮室（104）側から吸入管（105）側への流体の逆流を防止すると共に、図示しない可動スクロールの逆回転を抑制するようになっている。
【特許文献１】特開平１１−２２６６３号公報
【発明の開示】
【発明が解決しようとする課題】
【０００７】
ところが、上記従来のスクロール圧縮機では、従来の吸入通路近傍の拡大断面図である図１８に示すように、大量の潤滑油や液冷媒等の流体が吸入通路（101）から吸入されると、それらと共に吸入逆止弁（106）のバネ（108）が圧縮室（104）内に吸い込まれて、固定スクロール（102）及び可動スクロール（図示省略）に噛み込まれてしまうという問題がある。
【０００８】
本発明は、斯かる点に鑑みてなされたものであり、その目的とするところは、吸入通路に大量の潤滑油等の液体が流入したとしても、吸入逆止弁の弁体を付勢する圧縮バネの固定スクロール及び可動スクロールへの噛み込みを防止しようとすることにある。
【課題を解決するための手段】
【０００９】
上記の目的を達成するために、第１の発明は、可動スクロールと、上記可動スクロールとの間で流体を圧縮する圧縮室を形成すると共に、上記圧縮室に上記流体を吸入するための吸入通路が開口して形成された固定スクロールと、上記固定スクロールにおける上記吸入通路の開口端に嵌合して接続された管部材と、上記吸入通路に設けられ、上記管部材を開閉する吸入逆止弁とを備えたスクロール圧縮機を対象としている。そして、上記吸入逆止弁は、圧縮バネと、該圧縮バネの一端に載置された弁体とを有し、上記圧縮バネの他端は、固定手段によって上記固定スクロールに固定されている。
【００１０】
第１の発明では、吸入通路に嵌合して接続された管部材に流体が供給されないときに、管部材は圧縮バネにより付勢された吸入逆止弁の弁体によって閉塞される。すなわち、管部材は吸入逆止弁によって閉塞される。一方、流体が管部材に供給されたときには、その流体の圧力により、弁体が圧縮バネの付勢力に抗して管部材から離脱する。その結果、管部材は吸入逆止弁によって開放され、流体が吸入通路を通じて圧縮室へ吸入されることとなる。
【００１１】
そして、本発明では、上記圧縮バネの他端が固定手段によって固定スクロールに固定されているので、例えば液状態の流体が吸入された異常時であっても、当該圧縮バネの他端の位置ずれが抑制される。その結果、圧縮バネの固定スクロール及び可動スクロールへの噛み込みが防止される。
【００１２】
第２の発明は、上記第１の発明において、上記固定手段は、上記固定スクロールに固定されると共に上記圧縮バネの他端を支持するバネ座である。
【００１３】
第２の発明では、バネ座が固定スクロールに固定されているため、上記圧縮バネの他端は、当該バネ座を介して固定スクロールに固定されることとなる。
【００１４】
第３の発明は、上記第２の発明において、上記バネ座は、上記吸入通路において上記固定スクロールに圧入されている。
【００１５】
第３の発明では、バネ座が吸入通路において固定スクロールに圧入して固定されているため、当該固定されたバネ座において上記圧縮バネの他端は固定スクロールに好適に固定される。
【００１６】
第４の発明は、上記第２の発明において、上記バネ座は、上記吸入通路において上記固定スクロールにネジ止めされている。
【００１７】
第４の発明では、バネ座が吸入通路において固定スクロールにネジ止めして固定されているため、当該固定されたバネ座において上記圧縮バネの他端は固定スクロールに好適に固定される。
【００１８】
第５の発明は、上記第１の発明において、上記固定手段は、上記固定スクロールに埋め込まれて、上記圧縮バネの他端が溶接された溶接ピンである。
【００１９】
第５の発明では、固定スクロールに埋め込まれた溶接ピンに対して、上記圧縮バネの他端が溶接固定されているため、圧縮バネの固定スクロール及び可動スクロールへの噛み込みが確実に防止される。
【００２０】
第６の発明は、上記第１の発明において、上記固定手段は、上記圧縮バネの他端を上記固定スクロールに締結固定するボルトである。
【００２１】
第６の発明では、上記圧縮バネの他端がボルトによって固定スクロールに締結固定されているので、圧縮バネの固定スクロール及び可動スクロールへの噛み込みが確実に防止される。
【００２２】
第７の発明は、上記第１の発明において、上記固定手段は、上記圧縮バネの他端を上記固定スクロールに接着固定する接着部材である。
【００２３】
第７の発明では、上記圧縮バネの他端は、部品点数を低減しながらも、接着部材により固定スクロールに容易且つ確実に固定される。
【００２４】
第８の発明は、上記第１の発明において、上記固定手段は、上記圧縮バネの他端を上記固定スクロールに溶接固定する溶接部である。
【００２５】
第８の発明では、上記圧縮バネの他端は、部品点数を低減しながらも、溶接部により固定スクロールに強固且つ確実に固定される。
【００２６】
第９の発明は、可動スクロールと、上記可動スクロールとの間で流体を圧縮する圧縮室を形成すると共に、上記圧縮室に上記流体を吸入するための吸入通路が開口して形成された固定スクロールと、上記固定スクロールにおける上記吸入通路の開口端に嵌合して接続された管部材と、上記吸入通路に設けられ、上記管部材を開閉する吸入逆止弁とを備えたスクロール圧縮機を対象としている。そして、上記吸入逆止弁は、圧縮バネと、該圧縮バネの一端に載置された弁体とを有し、上記圧縮バネの他端を上記固定スクロールに係止する係止手段を備えている。
【００２７】
第９の発明では、上記圧縮バネの他端が係止手段によって固定スクロールに係止されるので、例えば液状態の流体が吸入された異常時であっても、当該圧縮バネの他端の位置ずれが抑制される。その結果、圧縮バネの固定スクロール及び可動スクロールへの噛み込みが防止される。
【００２８】
第１０の発明は、上記第９の発明において、上記係止手段は、上記圧縮バネとは反対側に突出するように上記バネ座に形成されたピンと、上記ピンが挿入するように上記固定スクロールに形成されたピン穴とにより構成されている。
【００２９】
第１０の発明では、係止手段を構成するバネ座のピンが固定スクロールのピン穴に挿入されているため、バネ座が位置ずれを起こす前にピンがピン穴の内周面に接触することにより、バネ座の移動が抑制される。そのことによって、圧縮バネの噛み込みが防止される。
【発明の効果】
【００３０】
上記第１の発明によれば、一端に弁体が設けられた圧縮バネの他端を固定手段によって固定スクロールに固定するようにしたので、例えば液状態の流体が吸入された異常時であっても、上記圧縮バネの他端の位置ずれを抑制することができる。その結果、流体と共に圧縮バネが吸い込まれないようにして、当該圧縮バネの固定スクロール及び可動スクロールへの噛み込みを防止することができる。
【００３１】
上記第２の発明によれば、圧縮バネの他端を、バネ座を介して固定スクロールに固定することができる。
【００３２】
上記第３の発明によれば、吸入通路の固定スクロールにバネ座を圧入固定することができる。また、上記第４の発明によれば、吸入通路の固定スクロールにバネ座をネジ止め固定することができる。
【００３３】
上記第５の発明によれば、圧縮バネの他端を、固定スクロールに埋め込まれた溶接ピンに対して確実に溶接固定することができる。また、上記第６の発明によれば、圧縮バネの他端を、ボルトによって固定スクロールに確実に締結固定することができる。
【００３４】
上記第７の発明によれば、圧縮バネの他端を、部品点数を低減しながらも、接着部材により固定スクロールに容易且つ確実に固定できる。また、上記第８の発明によれば、圧縮バネの他端を、部品点数を低減しながらも、溶接部により固定スクロールに強固且つ確実に固定することができる。
【００３５】
上記第９の発明によれば、一端に弁体が設けられた圧縮バネの他端を係止手段によって固定スクロールに係止するようにしたので、圧縮バネ他端の位置ずれを抑制して、圧縮バネの固定スクロール及び可動スクロールへの噛み込みを防止することができる。
【００３６】
上記第１０の発明によれば、バネ座のピンを固定スクロールのピン穴に挿入させることにより、バネ座の移動を抑制して、圧縮バネの噛み込みを防止することができる。
【発明を実施するための最良の形態】
【００３７】
以下、本発明の実施形態を図面に基づいて詳細に説明する。
【００３８】
《発明の実施形態１》
図１及び図２は、本発明の実施形態１を示している。
【００３９】
図１は、本実施形態１のスクロール圧縮機（10）の構造を示す縦断面図である。図２は、本実施形態１における吸入通路（29）の近傍を拡大して模式的に示す断面図である。
【００４０】
本実施形態１のスクロール圧縮機（10）は、例えば、空気調和装置の蒸気圧縮式冷凍サイクルを行う冷媒回路に設けられ、流体としての冷媒を圧縮するものである。図１に示すように、上記スクロール圧縮機（10）は、密閉容器状のケーシング内に収容された圧縮機構（20）と、該ケーシングを貫通して圧縮機構（20）に接続される管部材としての吸入管継手（19）とを備えている。
【００４１】
上記ケーシングは、縦長円筒状の胴体（11）と椀状の蓋体（14）とを備え、上記蓋体（14）が上記胴体（11）の両端開口部をそれぞれ閉塞するように固定されて密閉容器を構成している。また、上側にある蓋体（14）には外周面に貫通孔が設けられ、該貫通孔には吸入管継手（19）が挿入固定されている。
【００４２】
上記吸入管継手（19）は、吸入管（15）と圧縮機構（20）とを接続して、該吸入管（15）を流れる吸入ガスを圧縮機構（20）に導入するためものである。
【００４３】
上記ケーシング内には、冷媒を圧縮する圧縮機構（20）と、該圧縮機構（20）を駆動する電動機（45）とが収納されている。この電動機（45）は、圧縮機構（20）の下方に配置され、回転軸である駆動軸（40）を介して圧縮機構（20）に連結されている。
【００４４】
上記電動機（45）は、ステータ（46）とロータ（47）とによって構成されている。ステータ（46）は、ケーシングの胴体（11）に固定されている。ロータ（47）は、駆動軸（40）に連結され、駆動軸（40）を回転駆動する。
【００４５】
上記駆動軸（40）は、主軸部（41）と偏心部（42）とを備え、クランクを構成している。上記偏心部（42）は、主軸部（41）よりも小径に形成され、主軸部（41）の上端面に立設されている。そして、この偏心部（42）は、主軸部（41）の軸心に対して所定距離だけ偏心し、偏心ピンを構成している。
【００４６】
上記ケーシングの胴体（11）の下端付近には、下部軸受部材（48）が固定されている。この下部軸受部材（48）は、駆動軸（40）の下端部を回転自在に支持している。なお、図示しないが、上記駆動軸（40）の内部には、上下方向へ延びる給油通路が形成され、駆動軸（40）の下端部には、給油ポンプが設けられている。この給油ポンプによってケーシングの底部から吸い上げられた冷凍機油は、駆動軸（40）の給油通路を通って圧縮機構（20）の各摺動部へ供給される。
【００４７】
上記圧縮機構（20）は、可動スクロール（22）と固定スクロール（21）とハウジング（23）とを備えている。可動スクロール（22）と固定スクロール（21）との間には、冷媒を圧縮する圧縮室（24）が形成されている。
【００４８】
上記可動スクロール（22）は、可動側鏡板部（22a）と可動側ラップ（22b）とボス部（22c）とを備えている。上記可動スクロール（22）の可動側鏡板部（22a）は、略円板状に形成されている。上記可動側ラップ（22b）は、可動側鏡板部（22a）の上面に立設され、該可動側鏡板部（22a）に一体形成されている。この可動側ラップ（22b）は、高さが一定の渦巻き壁状に形成されている。上記ボス部（22c）は、可動側鏡板部（22a）の下面から下方へ延設され、該可動側鏡板部（22a）に一体形成されている。このボス部（22c）には、駆動軸（40）の偏心部（42）が挿入されている。つまり、上記駆動軸（40）が回転すると、可動スクロール（22）が駆動軸（40）の軸心を中心として公転する。この可動スクロール（22）の公転半径は、偏心部（42）の偏心量、すなわち駆動軸（40）の軸心と偏心部（42）の軸心との距離と同じである。
【００４９】
上記固定スクロール（21）は、固定側鏡板部（21a）と固定側ラップ（21b）と縁部（21c）と吸入通路（29）とを備えている。上記固定スクロール（21）の固定側鏡板部（21a）は、略円板状に形成されている。上記固定側ラップ（21b）は、固定側鏡板部（21a）の下面に立設され、該固定側鏡板部（21a）に一体形成されている。この固定側ラップ（21b）は、高さが一定の渦巻き壁状に形成され、可動スクロール（22）の可動側ラップ（22b）に噛合するように構成されている。そして、固定側ラップ（21b）と可動側ラップ（22b）とが噛合することにより、上記圧縮室（24）が区画形成されている。上記縁部（21c）は、固定側鏡板部（21a）の外周縁部から下方へ向かって延びる壁状に形成されている。この縁部（21c）は、その下端部が全周に亘って外側へ突出し、ハウジング（23）の上段部（23a）の上面に固定されている。
【００５０】
上記吸入通路（29）は、圧縮室（24）に冷媒を吸入するためのものであり、固定スクロール（21）の縁部（21c）において上記駆動軸（40）の軸方向（図１で上下方向）に延びるように形成されている。すなわち、固定スクロール（21）には、吸入通路（29）の下端に閉鎖端である底面（17）が形成される一方、吸入通路（29）の上端に開口端である吸入開口（13）が形成されている。吸入開口（13）には、上記吸入管継手（19）の下端が嵌合して接続されている。さらに、吸入管継手（19）の上端には、吸入管（15）が嵌合して接続されている。
【００５１】
また、固定スクロール（21）には、圧縮室（24）の最外周端部に開口すると共に吸入通路（29）の側方下部に連通する吸入孔（12）が形成されている。すなわち、吸入通路（29）は、吸入開口（13）と上記吸入孔（12）とを連通している。また、吸入通路（29）には、吸入管継手（19）を開閉する後述の吸入逆止弁（16）が設けられている。この構成により、吸入管（15）を流れる吸入ガスを上記吸入管継手（19）、吸入通路（29）及び吸入孔（12）を介して上記圧縮室（24）に導入することができる。
【００５２】
上記ハウジング（23）は、その全周がケーシングの胴体（11）内面に接合されている。このハウジング（23）は、上段部（23a）と下段部（23b）とによって構成されている。これら上段部（23a）及び下段部（23b）は、順に上から下へ連続して形成されている。上段部（23a）は、その上面中央に凹部が形成されている。下段部（23b）は、上段部（23a）よりも小径の略円筒状に形成され、上段部（23a）の下面から下方へ突出している。この下段部（23b）は、駆動軸（40）の主軸部（41）が挿通され、該主軸部（41）を回転自在に支持する主軸受を構成している。
【００５３】
上記上段部（23a）の上方には上記可動スクロール（22）の可動側鏡板部（22a）が位置し、上記上段部（23a）の凹部には上記ボス部（22c）が位置している。なお、図示しないが、上記可動スクロール（22）の可動側鏡板部（22a）とハウジング（23）の上段部（23a）の上面との間には、可動スクロール（22）の自転を阻止するオルダム継手が配設されている。
【００５４】
また、図１に示すように、胴体（11）には、吐出管（18）が貫通して接続されている。吐出管（18）は、ケーシング内におけるハウジング（23）下方の高圧空間に連通している。
【００５５】
上記吸入逆止弁（16）は、図２に拡大して示すように、圧縮バネ（31）と、該圧縮バネ（31）の一端である上端に載置された弁体（32）とを有している。さらに、圧縮バネ（31）の他端である下端は、固定手段（33）によって固定スクロール（21）に固定されている。
【００５６】
固定手段（33）は、固定スクロール（21）に固定されると共に圧縮バネ（31）の下端を支持するバネ座（34）である。このバネ座（34）は、吸入通路（29）の底面（17）において固定スクロール（21）に圧入されることにより固定されている。
【００５７】
弁体（32）は、下面が凹状に窪んだ皿形状に形成され、その凹状の下面で圧縮バネ（31）の上端に接触して付勢されている。一方、バネ座（34）は、上面が凹状に窪んだ皿形状に形成され、その凹状の上面で圧縮バネ（31）の下端を固定支持している。そうして、圧縮バネ（31）は、その伸張力によって、上端が弁体（32）の凹状下面を付勢する一方、下端がバネ座（34）の凹状上面に固定されるようになっている。
【００５８】
−スクロール圧縮機の運転動作−
次に、上述したスクロール圧縮機（10）の運転動作について説明する。
【００５９】
まず、上記電動機（45）を駆動すると、駆動軸（40）が回転し、可動スクロール（22）が固定スクロール（21）に対して公転運動を行う。その際、可動スクロール（22）は、オルダム継手によって自転が阻止される。
【００６０】
上記可動スクロール（22）の公転運動に伴って、圧縮室（24）の容積が周期的に増減を繰り返す。上記圧縮室（24）の容積が増大するときに、冷媒回路を流れる冷媒（吸入ガス）が、吸入管（15）から吸入管継手（19）を経て吸入通路（29）内の吸入逆止弁（16）の弁体（32）に接触する。ここで、この吸入ガスの圧力が圧縮バネ（31）の伸張力よりも大きくなると、該圧縮バネ（31）が収縮して弁体（32）が吸入管継手（19）の下端から離脱して、吸入通路（29）が開放される。このことにより、吸入管継手（19）と吸入孔（12）とが吸入通路（29）を介して連通状態となる。すると、上記吸入ガスは、吸入通路（29）を通って圧縮室（24）に吸い込まれる。そして、上記圧縮室（24）の容積が減少するときに冷媒が圧縮されて、吐出通路（26）に吐出される。
【００６１】
一方、上記電動機（45）が停止すると、弁体（32）に加わる吸入ガスの圧力が圧縮バネ（31）の伸張力よりも小さくなるため、圧縮バネ（31）の伸張力によって弁体（32）が上方に付勢され、その弁体（32）が吸入管継手（19）の下端に圧接されることによって吸入通路（29）が閉塞される。こうして、圧縮バネ（31）が図２に示す収縮前の状態に戻り、吸入通路（29）が閉鎖される。すると、圧縮室（24）への吸入ガスの流れが遮断される。
【００６２】
−実施形態１の効果−
したがって、この実施形態１によると、吸入通路（29）において固定スクロール（21）に圧入して固定したバネ座（34）を固定手段（33）としたので、当該固定されたバネ座（34）によって、圧縮バネ（31）の下端を固定スクロール（21）に固定することができる。すなわち、本実施形態１では、固定スクロール（21）に対し、吸入通路（29）にバネ座（34）を圧入して固定することができ、この固定されたバネ座（34）の凹形状の上面によって圧縮バネ（31）の下端を固定することができる。つまり、圧縮バネ（31）の下端を、バネ座（34）を介して固定スクロール（21）に固定できることとなる。
【００６３】
したがって、例えば大量の潤滑油や液冷媒等が吸入された異常時であっても、上記固定スクロール（21）に圧入固定されたバネ座（34）によって、圧縮バネ（31）の下端の位置ずれを抑制でき、圧縮バネ（31）の固定スクロール（21）及び可動スクロール（22）への噛み込みを防止することができる。
【００６４】
《発明の実施形態２》
図３及び図４は、本発明の実施形態２を示している。
【００６５】
図３は、本実施形態２における吸入通路（29）の近傍を拡大して模式的に示す断面図である。図４は、図３におけるIV−IV線断面を模式的に示す断面図である。尚、以降の各実施形態では、図１及び図２と同じ部分については同じ符号を付して、その詳細な説明を省略する。
【００６６】
上記実施形態１では、バネ座（34）を固定スクロール（21）に圧入固定したのに対し、本実施形態２では、図３に示すように、バネ座（34）を吸入通路（29）において固定スクロール（21）にネジ止めするようにしている。すなわち、本実施形態２の固定手段（33）は、固定スクロール（21）にネジ止め固定されたバネ座（34）である。
【００６７】
吸入通路（29）の底面（17）近傍の内周面にはネジ溝が形成される一方、バネ座（34）の外周面にはねじ山が形成されている。また、図４に示すように、吸入通路（29）及び吸入孔（12）はそれぞれ断面円状の通路に形成され、それらの下部において互いに連通することにより瓢箪形状に形成されている。そうして、吸入通路（29）の下部にバネ座（34）をねじ込んで、バネ座（34）の底面を吸入通路（29）の底面（17）に当接させる。そのことにより、バネ座（34）を固定スクロール（21）に固定する。
【００６８】
−実施形態２の効果−
したがって、本実施形態２によると、圧縮バネ（31）の下端を、固定スクロール（21）にネジ止め固定されたバネ座（34）によって、当該固定スクロール（21）に固定できるため、上記実施形態１と同様の効果を得ることができる。そのことに加え、バネ座（34）がネジ止めによって固定されているために、バネ座（34）を固定スクロール（21）に固定しながらも着脱可能にすることができる。
【００６９】
《発明の実施形態３》
図５及び図６は、本発明の実施形態３を示している。
【００７０】
図５は、本実施形態３における吸入通路（29）の近傍を拡大して模式的に示す断面図である。図６は、バネ座（34）のピン（35）が固定スクロール（21）のピン穴（36）に係止された状態を示す断面図である。
【００７１】
本実施形態３は、上記固定スクロール（21）への固定手段の代わりに、係止手段（35,36）を設けて、圧縮バネ（31）の他端を固定スクロール（21）に係止するようにしたものである。
【００７２】
上記係止手段（35,36）は、圧縮バネ（31）とは反対側に突出するようにバネ座（34）に形成されたピン（35）と、ピン（35）が挿入するように固定スクロール（21）に形成されたピン穴（36）とにより構成されている。
【００７３】
ピン穴（36）の内周面とピン（35）の外周面との間には、僅かな隙間が形成されるようにしてもよい。このような隙間を設けることにより、バネ座（34）のピン（35）をピン穴（36）に挿入し易くなるので、バネ座（34）の固定スクロール（21）への装着が容易になる。
【００７４】
−実施形態３の効果−
図６に示すように、例えば大量の潤滑油や液冷媒等が吸入された異常時には、その流体圧力によってバネ座（34）が傾斜して固定スクロール（21）における吸入通路（29）の底面（17）から離脱しようとする。しかしこのとき、バネ座（34）のピン（35）が、図６の点Ａ及び点Ｂに示すように、ピン穴（36）の内周面に接触することによって、バネ座（34）が固定スクロール（21）に係止される。つまり、圧縮バネ（31）の下端は、バネ座（34）を下方に付勢した状態で、ピン（35）及びピン穴（36）を介して固定スクロール（21）に係止されることとなる。
【００７５】
したがって、本実施形態３によると、バネ座（34）が位置ずれを起こす前にピン（35）をピン穴（36）の内周面に接触させて、バネ座（34）の移動を抑制することができる。そうして、圧縮バネ（31）の下端をバネ座（34）のピン（35）によって固定スクロール（21）のピン穴（36）に係止して、圧縮バネ（31）の固定スクロール（21）及び可動スクロール（22）への噛み込みを防止できるため、上記実施形態１と同様の効果を得ることができる。そのことに加え、上記実施形態１のようにバネ座（34）を吸入通路（29）に圧入する構成でないため、バネ座（34）を固定スクロール（21）に固定しながらも、吸入通路（29）の大きさや形状に拘わらずバネ座（34）の外形を規定することができる。
【００７６】
《発明の実施形態４》
図７〜図９は、本発明の実施形態４を示している。
【００７７】
図７〜図９は、それぞれ本実施形態４における吸入逆止弁（16）の要部を拡大して模式的に示す断面図である。
【００７８】
上記実施形態１及び２では、固定手段（33）としてのバネ座（34）を固定スクロール（21）に固定した例について説明したが、本実施形態４は、上記実施形態１及び２におけるバネ座（34）に対して連通部（39）を設けるようにしたものである。
【００７９】
バネ座（34）及び弁体（32）は、圧縮バネ（31）が収縮してこれらが互いに当接した状態で、バネ座（34）の凹状上面と弁体（32）の凹状下面とによって内部空間（27）が形成されるようになっている。
【００８０】
バネ座（34）には、上記内部空間（27）とその外部とを連通する連通部（39）が形成されている。連通部（39）は、例えば、図７に示すように、バネ座（34）の底部を厚み方向に貫通する貫通孔（37）であってもよく、図８に示すように、バネ座（34）の側壁部を厚み方向に貫通する貫通孔（37）であってもよい。また、図９に示すように、バネ座（34）の側壁部の上端に形成した切欠部（38）によって連通部（39）を構成してもよい。尚、連通部（39）は、弁体（32）の側壁部に同様に形成した貫通孔や切欠部によって構成することも可能である。
【００８１】
−実施形態４の効果−
ここで、通常時にはこのような内部空間（27）が形成されないように、圧縮バネ（31）の弾性力が比較的大きく設定されるが、潤滑油等の液状流体が吸入された場合等の異常時には、圧縮バネ（31）が大きく収縮して上記バネ座（34）及び弁体（32）が互いに当接し、上記内部空間（27）が形成される虞れがある。
【００８２】
仮に、上記連通部（39）を設けないとすれば、図１０に示すように、内部空間（27）の圧力（P1）は、吸入管継手（19）側の圧力（P0）よりも高く、且つ圧縮室（24）側の圧力（P2）よりも低くなり、各圧力の大小関係は、P2＞P1＞P0 となる。
【００８３】
このとき、弁体（32）及びバネ座（34）は、その内部空間（27）の圧力（P1）が周囲の圧力（P2）よりも低いために、開きにくくなっている。その結果、吸入逆止弁（16）が閉弁状態となるのに時間がかかって、冷媒や潤滑油等が逆流したり、可動スクロール（22）が逆回転する虞れがある。
【００８４】
これに対し、本実施形態４によれば、連通部（39）としての貫通孔（37）又は切欠部（38）をバネ座（34）に形成するようにしたので、図１１に示すように、圧縮バネ（31）に過大な圧力が加わった異常時であっても、バネ座（34）及び弁体（32）により形成される内部空間（27）とその外部とを、上記貫通孔（37）又は切欠部（38）によって連通させることができる。したがって、内部空間（27）の圧力を外部と同じ圧力（P2）にして、吸入逆止弁（16）を速やかに閉弁状態にすることができ、上記冷媒や潤滑油等の逆流や、可動スクロール（22）の逆回転を防止することが可能になる。
【００８５】
（実施形態４の変形例）
図１２は、実施形態４の変形例を示す断面図である。
【００８６】
本実施形態４の変形例は、上記実施形態３におけるバネ座（34）に対して連通部（39）を設けるようにしたものである。すなわち、バネ座（34）の底面には、固定スクロール（21）のピン穴（36）に挿入して係止されるピン（35）が突出して形成されている。バネ座（34）には、連通部（39）としての切欠部（38）が形成されている。
【００８７】
このようにしても、バネ座（34）及び弁体（32）によって形成される内部空間（27）を確実に開放できるため、吸入逆止弁（16）を速やかに閉弁状態にすることができると共に、ピン（35）によってバネ座（34）の移動を抑制して、圧縮バネ（31）の固定スクロール（21）及び可動スクロール（22）への噛み込みを防止することができる。
【００８８】
《発明の実施形態５》
図１３は、本発明の実施形態５を示している。
【００８９】
図１３は、本実施形態５における吸入通路（29）の近傍を拡大して模式的に示す断面図である。
【００９０】
上記実施形態１及び２では、固定手段（33）としてのバネ座（34）を設けたのに対し、本実施形態５では、固定スクロール（21）に埋め込まれて、圧縮バネ（31）の下端が溶接された溶接ピン（51）を固定手段（33）とした。
【００９１】
すなわち、固定スクロール（21）は、吸入通路（29）における底面（17）に溶接ピン（51）が埋め込まれて固定されている。この溶接ピン（51）の上端に圧縮バネ（31）の下端が溶接して固着されている。圧縮バネ（31）の下端を溶接ピン（51）に溶接した後に固定スクロール（21）の最終仕上げ加工を行うことが望ましい。このことにより、固定スクロール（21）に溶接による歪みが生じたとしても、最終仕上げ加工によって圧縮機の製品精度を高く維持することができる。
【００９２】
−実施形態５の効果−
したがって、本実施形態５によれば、圧縮バネ（31）の下端を、溶接ピン（51）において固定スクロール（21）に確実に溶接固定でき、上記実施形態１と同様の効果を得ることができる。
【００９３】
《発明の実施形態６》
図１４は、本発明の実施形態６を示している。
【００９４】
図１４は、本実施形態６における吸入通路（29）の近傍を拡大して模式的に示す断面図である。
【００９５】
本実施形態６では、圧縮バネ（31）の下端を固定スクロール（21）に締結固定するボルト（52）を固定手段（33）とした。すなわち、ボルト（52）は、吸入通路（29）における底面（17）に対し、圧縮バネ（31）の下端を挟み込むようにして締結固定されている。このことにより、圧縮バネ（31）の下端は、固定スクロール（21）に固定されている。
【００９６】
−実施形態６の効果−
したがって、本実施形態６によれば、圧縮バネ（31）の下端をボルト（52）によって固定スクロール（21）に固定できるため、上記実施形態１と同様の効果を得ることができる。そのことに加え、固定スクロール（21）に対し、圧縮バネ（31）の下端を着脱可能に且つ確実に固定することができる。
【００９７】
《発明の実施形態７》
図１５は、本発明の実施形態７を示している。
【００９８】
図１５は、本実施形態７における吸入通路（29）の近傍を拡大して模式的に示す断面図である。
【００９９】
本実施形態７では、圧縮バネ（31）の下端を固定スクロール（21）に接着固定する接着部材（53）を固定手段（33）とした。すなわち、圧縮バネ（31）の下端は、吸入通路（29）の底面（17）に接触した状態で、接着部材（53）により当該底面（17）に接着固定されている。
【０１００】
−実施形態７の効果−
したがって、本実施形態７によれば、圧縮バネ（31）の下端を、接着部材（53）によって固定スクロール（21）に固定できるため、上記実施形態１と同様の効果を得ることができる。そのことに加え、圧縮バネ（31）の下端を、部品点数を低減しながらも、固定スクロール（21）に容易且つ確実に固定することができる。
【０１０１】
《発明の実施形態８》
図１６は、本発明の実施形態８を示している。
【０１０２】
図１６は、本実施形態８における吸入通路（29）の近傍を拡大して模式的に示す断面図である。
【０１０３】
本実施形態８では、圧縮バネ（31）の下端を固定スクロール（21）に溶接固定する溶接部（54）を固定手段（33）とした。すなわち、圧縮バネ（31）の下端は、吸入通路（29）の底面（17）に接触した状態で、例えばレーザ溶接又はスポット溶接等により当該底面（17）に溶接して固定されている。圧縮バネ（31）の下端を固定スクロール（21）に溶接した後に固定スクロール（21）の最終仕上げ加工を行うことが望ましい。このことにより、固定スクロール（21）に溶接による歪みが生じたとしても、最終仕上げ加工によって圧縮機の製品精度を高く維持することができる。
【０１０４】
−実施形態８の効果−
したがって、本実施形態８によれば、圧縮バネ（31）の下端を、溶接部（54）によって固定スクロール（21）に固定できるため、上記実施形態１と同様の効果を得ることができる。そのことに加え、圧縮バネ（31）の下端を、部品点数を低減しながらも、固定スクロール（21）に容易且つ確実に固定することができる。
【０１０５】
《その他の実施形態》
上記各実施形態では、固定手段（33）及び係止手段（35,36）の具体例について説明したが、本発明における固定手段及び係止手段はこれらに限定されるものでなく、圧縮バネ（31）の他端を固定スクロール（21）に固定又は係止するその他の手段が含まれる。
【０１０６】
なお、以上の実施形態は、本質的に好ましい例示であって、本発明、その適用物、あるいはその用途の範囲を制限することを意図するものではない。
【産業上の利用可能性】
【０１０７】
以上説明したように、本発明は、吸い込み逆止弁を備えたスクロール圧縮機について有用である。
【図面の簡単な説明】
【０１０８】
【図１】図１は、本実施形態１のスクロール圧縮機の構造を示す縦断面図である。
【図２】図２は、本実施形態１における吸入通路の近傍を拡大して模式的に示す断面図である。
【図３】図３は、本実施形態２における吸入通路の近傍を拡大して模式的に示す断面図である。
【図４】図４は、図３におけるIV−IV線断面を模式的に示す断面図である。
【図５】図５は、本実施形態３における吸入通路の近傍を拡大して模式的に示す断面図である。
【図６】図６は、バネ座のピンが固定スクロールのピン穴に係止された状態を示す断面図である。
【図７】図７は、本実施形態４における吸入逆止弁の要部を拡大して模式的に示す断面図である。
【図８】図８は、本実施形態４における吸入逆止弁の要部を拡大して模式的に示す断面図である。
【図９】図９は、本実施形態４における吸入逆止弁の要部を拡大して模式的に示す断面図である。
【図１０】図１０は、連通部を有しないバネ座と共に、吸入通路の近傍を拡大して模式的に示す断面図である。
【図１１】図１１は、連通部を有するバネ座と共に、吸入通路の近傍を拡大して模式的に示す断面図である。
【図１２】図１２は、本実施形態４の変形例における吸入通路の近傍を拡大して模式的に示す断面図である。
【図１３】図１３は、本実施形態５における吸入通路の近傍を拡大して模式的に示す断面図である。
【図１４】図１４は、本実施形態６における吸入通路の近傍を拡大して模式的に示す断面図である。
【図１５】図１５は、本実施形態７における吸入通路の近傍を拡大して模式的に示す断面図である。
【図１６】図１６は、本実施形態８における吸入通路の近傍を拡大して模式的に示す断面図である。
【図１７】図１７は、従来の吸入逆止弁により閉塞された吸入通路の近傍を拡大して示す断面図である。
【図１８】図１８は、従来の圧縮バネが固定スクロール及び可動スクロールに噛み込まれた吸入通路の近傍を拡大して示す断面図である。
【符号の説明】
【０１０９】
10      スクロール圧縮機
13      吸入開口（開口端）
16      吸入逆止弁
19      吸入管継手（管部材）
21      固定スクロール
22      可動スクロール
24      圧縮室
29      吸入通路
31      圧縮バネ
32      弁体
33      固定手段
34      バネ座
35      ピン
36      ピン穴
51      溶接ピン
52      ボルト
53      接着部材
54      溶接部
【図１】
2009281345.tif 000003
【図２】
2009281345.tif 000004
【図３】
2009281345.tif 000005
【図４】
2009281345.tif 000006
【図５】
2009281345.tif 000007
【図６】
2009281345.tif 000008
【図７】
2009281345.tif 000009
【図８】
2009281345.tif 000010
【図９】
2009281345.tif 000011
【図１０】
2009281345.tif 000012
【図１１】
2009281345.tif 000013
【図１２】
2009281345.tif 000014
【図１３】
2009281345.tif 000015
【図１４】
2009281345.tif 000016
【図１５】
2009281345.tif 000017
【図１６】
2009281345.tif 000018
【図１７】
2009281345.tif 000019
【図１８】
2009281345.tif 000020